(57)【要約】      （修正有）【課題】色分けした多数枚の付箋紙を同じ色ごとにまとめて積み重ねた形態の付箋において、積重ね層の中間部分に位置している色の付箋紙だけを剥離しても、他の付箋紙が分離することがないようにする。【解決手段】多数枚の付箋紙１１の重なり面が接着剤で剥離可能に接合されている付箋紙束１０が、複数冊に亘って積み重ねられている。個々の付箋紙束１０は、付箋紙束１０の面状の端面に剥離可能に接合された帯状の連結材３０によって連結されている。連結材３０には、紙や樹脂フィルムのほか、接着剤などの糊を使用することが可能である。【選択図】図１
0003139191.tif 000002
【実用新案登録請求の範囲】
【請求項１】
付箋紙を多数枚積み重ねて互いの重なり面が接着剤で剥離可能に接合されている付箋紙束が複数冊に亘って積み重ねられていると共に、付箋紙束を形成している付箋紙が、個々の付箋紙束ごとに異なる色に着色されていて、かつ、個々の上記付箋紙束において付箋紙の重なり面同士を剥離可能に接合している上記接着剤は、互いに接合されている一方側の付箋紙の裏面に保持されて他方側の付箋紙の表面に対して剥離可能になっていると共に、個々の上記付箋紙束が、多数枚の上記付箋紙の端縁の集まりによって形成されている上記付箋紙束の面状の端面に剥離可能に接合された帯状の連結材によって連結されていることを特徴とする付箋。
【請求項２】
個々の付箋紙束ごとに、端縁が上記連結材に剥離可能に接合された厚手の台紙が備わっている請求項１に記載した付箋。
【請求項３】
上記連結材が、糊で形成された膜状の層でなる請求項１又は請求項２のいずれか１項に記載した付箋。
【請求項４】
膜状の層を形成している上記糊に、上記接着剤と同一種類の接着剤が用いられている請求項３に記載した付箋。
【考案の詳細な説明】
【技術分野】
【０００１】
本考案は、目印とするためなどに書類などに貼り付けて用いられる付箋に関する。
【背景技術】
【０００２】
図５はこの種の付箋の一般的な使用状態を例示した斜視図であり、同図の事例では、付箋束から剥離した１枚の付箋紙１１を、その裏面の接着剤を利用して書類Ｐの端に貼り付けてある。
【０００３】
図６は付箋紙束１０を例示した概略斜視図である。この付箋紙束１０は、厚手の台紙２０の上に、付箋紙１１を多数枚積み重ねて互いの重なり面を接着剤で剥離可能に接合することによって形成されている。この付箋紙束１０において、台紙２０や台紙２０の上に積み重ねられているそれぞれの付箋紙１１はその４つの端（辺）がきれいに揃っていて、それぞの付箋紙１１の端の集まりによって４つの面状の端面が形成されている。
【０００４】
図７は付箋紙束を分解して示した説明図である。同図のように、付箋紙束にあっては、個々の付箋紙１１がその裏面の一端側に接着剤１２を保持していて、その接着剤１２が他の付箋紙１１の表面に矢印で示したように剥離可能に接着される。また、台紙２０にも、付箋紙１１の接着剤１２が剥離可能に接着される。そして、特定の付箋紙１１を剥離したときには、接着剤１２が、剥離した付箋紙１１側に保持されたままになって、その接着剤１２が、図５のように書類Ｐに付箋紙１１を貼り付けることに利用される。
【０００５】
ところで、日常で使用される文具としての付箋は付箋紙束の形態で販売されることが多い。そして、図１０のように、複数冊の付箋紙束１０…を１セットとして販売するようなときには、個々の付箋紙束１０を形成している付箋紙が、付箋紙束１０ごとに色分けされていることもある。
【０００６】
一方、従来の付箋には、図８に示したような複数冊の付箋紙束１０を１セットとする場合に、個々の付箋紙束１０を形成している付箋紙ごとに色分けしたようなもののほか、図９に示したように、１冊の付箋紙束１０に含まれる多数枚の付箋紙を色分けし、それらの付箋紙を同じ色ごとにまとめて積み重ねた形態のものも提案されている。図９に例示した付箋紙束１０にあっては、たとえばピンクＰ、黄緑ＹＧ、オレンジＯ、黄Ｙ、青Ｂの５色の複数枚ずつの付箋紙が色ごとにまとめられて順に積み重ねられている。また、それぞれの付箋紙は、図中符号Ｌで示した範囲で、それらの端部の重なり面が接着剤で剥離可能に接合されている。
【０００７】
なお、多数枚の付箋紙を積み重ねてそれらの重なり面同士を剥離可能に接着剤で接合した付箋紙束については従来より知られている（たとえば、特許文献１参照）。
【特許文献１】特開２００４−２４３５８７号公報（図１４）
【考案の開示】
【考案が解決しようとする課題】
【０００８】
図８や図９などを参照して説明した付箋は日常的に会社や家庭、学校といった様々な場所で汎用されているけれども、図８に示したように、複数冊の付箋紙束１０をまとめて１セットにした付箋については、個々の付箋紙束１０が他の付箋紙束１０からもともと分離されていて、しかも、それらの付箋紙束１０はデスクの上などに散らばって置かれていることが多いことなどにより、個々の付箋紙束１０が紛失しやすい。そのため、付箋紙を使用したいときに付箋紙束１０を見つけにくいという不便を多々経験する。
【０００９】
一方、図９に示したように色分けした付箋紙を色ごとにまとめて積み重ねた形態の付箋では、最も上に積み重ねられている付箋紙から１枚ずつ順に剥離して使用する場合には、色ごとにまとまっている付箋紙の全部がばらばらに散乱することがないので、紛失のおそれがそれだけ少なくなる。しかしながら、付箋紙の積重ね層の中間部分に位置している色の付箋紙を使用したいときに、その色の付箋紙を剥離すると、付箋紙の剥離部分で付箋が分離してしまうということになる。すなわち、図１０に例示したように、黄色の付箋紙１１を１枚でも剥離すると、その付箋紙１１の上側の青色Ｂの付箋紙のかたまりとその付箋紙１１の下側の黄色Ｙなどの付箋紙のかたまりとが分離してしまう。これは、この形態の付箋にあっては、多数枚の積み重ねられている付箋紙が、それらの重なり面だけで剥離可能に接合されているに過ぎないからである。そして、図１０のように付箋が分離してしまうと、図８に示した付箋の場合と同様に、分離した個々の付箋紙の集まりが紛失しやすくなる。したがって、図９に示した形態の付箋では、多数枚の付箋紙が一応は色分けされてはいるものの、付箋紙が個々のかたまりに分離してしまうことを避けるためには、使用に際して、そのような色分けとは無関係に上から順に付箋紙を１枚ずつ剥離して使用することを余儀なくされるという不便がある。
【００１０】
本考案は以上の状況に鑑みてなされたものであり、図９を参照して説明した付箋紙束に類する形態の付箋、すなわち、多数枚の付箋紙を色分けし、それらの付箋紙を同じ色ごとにまとめて積み重ねた形態の付箋において、積重ね層の中間部分に位置している色の付箋紙だけを剥離しても、他の付箋紙が分離してばらばらになることのないようにすることによって、付箋ないし付箋紙束を紛失しにくくすることのできる付箋を提供することを目的とする。
【課題を解決するための手段】
【００１１】
本考案に係る付箋は、付箋紙を多数枚積み重ねて互いの重なり面が接着剤で剥離可能に接合されている付箋紙束が複数冊に亘って積み重ねられていると共に、付箋紙束を形成している付箋紙が、個々の付箋紙束ごとに異なる色に着色されていて、かつ、個々の上記付箋紙束において付箋紙の重なり面同士を剥離可能に接合している上記接着剤は、互いに接合されている一方側の付箋紙の裏面に保持されて他方側の付箋紙の表面に対して剥離可能になっていると共に、個々の上記付箋紙束が、多数枚の上記付箋紙の端縁の集まりによって形成されている上記付箋紙束の面状の端面に剥離可能に接合された帯状の連結材によって連結されている。
【００１２】
この構成を採用すると、複数冊の付箋紙束が連結材によって連結されていることにより、剥離した付箋紙がどの付箋紙束のものであっても、剥離後に残った付箋紙束同士は連結材によって連結されたままになる。そのため、必要な色の付箋紙を剥離して使用したからといって、個々の付箋紙束がばらばらに散らばって紛失しやすくなるということが起こらない。
【００１３】
本考案では、個々の付箋紙束ごとに、端縁が上記連結材に剥離可能に接合された厚手の台紙が備わっていることが望ましい。これによると、付箋紙の色に色分けされた個々の付箋紙束の境界を判別しやすく、しかも、個々の付箋紙束を台紙のところで開きやすくなる。そのため、使用者が特定の色の付箋紙を使いたい場合に、その色の付箋紙の属する付箋紙束からそれに隣接する他の付箋紙束を開いて目的の付箋紙を剥離することを容易に行うことができるようになる。
【００１４】
本考案では、上記連結材が、糊で形成された膜状の層でなる、という構成を採用することが可能である。連結材には紙、樹脂フィルムなどを用いることができるけれども、特にこの考案のように糊を用いると、糊を付箋紙束の面状の端面に塗布するだけで膜状の層でなる連結材を形成することができるので、付箋の製造が容易になり、しかも、紙、樹脂フィルムなどを用いる場合に比べて価格が安くつくという利点がある。
【００１５】
本考案では、膜状の層を形成している上記糊に、上記接着剤と同一種類の接着剤が用いられていることが望ましい。これによれば、付箋紙の積重ね面を接合する接着剤と連結材を形成する糊とに同一の種類の接着剤を用いることができるようになって製造コスト及び原料コストを低減しやすくなる。
【考案の効果】
【００１６】
以上のように本考案によれば、多数枚の付箋紙を色分けし、それらの付箋紙を同じ色ごとにまとめて積み重ねた形態の付箋において、積重ね層の中間部分に位置している色の付箋紙だけを剥離しても、他の付箋紙が分離してばらばらになることがない。そのため、図９を参照して説明した付箋紙束に類する付箋において、付箋をばらばらにせずに必要な色の付箋紙だけを剥離して使用することが可能になる。
【考案を実施するための最良の形態】
【００１７】
図１は本考案の実施形態に係る付箋の概略側面図である。図２は付箋の付箋紙束１０を開いた状態を例示した説明図、図３は要部を拡大して示した説明図、図４は使用状態説明図である。
【００１８】
この付箋は、図９に示した形態の付箋紙束に類する構造形態を有している。すなわち、図１に例示した付箋は、付箋紙１１を厚手の台紙２０の上に多数枚積み重ねて互いの重なり面が接着剤で剥離可能に接合されている付箋紙束１０を複数冊有していて、それらの付箋紙束１０がさらに積み重ねられている。また、個々の付箋紙束１０を形成している付箋紙１１は、個々の付箋紙束１０ごとに異なる色に着色されている。たとえば、複数冊の付箋紙束１０…には、下側に位置する付箋紙束１０から順に、ピンクＰ、黄緑ＹＧ、オレンジＯ、黄Ｙ、青Ｂの５色の複数枚ずつの付箋紙１１を有している。さらに、個々の付箋紙束１０において、それぞれの付箋紙１１は、図中符号Ｌで示した範囲で、それらの端部の重なり面が接着剤で剥離可能に接合されている。付箋紙１１の重なり面同士を接合している接着剤は、互いに接合されている一方側の付箋紙１１の裏面に保持されて他方側の付箋紙１１の表面に対して剥離可能になっている。
【００１９】
この実施形態の付箋では、個々の付箋紙束１０が帯状の連結材３０によって連結されている。すなわち、連結材３０は、多数枚の付箋紙１１の端縁の集まりによって形成されている複数冊の付箋紙束１０…の面状の端面に剥離可能に接合されている。図３には多数枚の付箋紙１１の端縁の集まりによって形成されている複数冊の付箋紙束１０…の面状の端面を符号５０で示してある。
【００２０】
図３に示した帯状の連結材３０の厚さＴは極薄（１ｍｍ以下）であることが望ましい。また、連結材３０には、帯状の紙片や帯状の樹脂フィルムなどを用いることができるほか、互いに積み重ねられた複数冊の付箋紙束１０…の面状の端面５０…に亘って連続的に塗布して硬化させることにより形成した折曲り可能な糊で形成された薄い膜状の層を用いてもよい。そして、連結材３０に糊でなる膜状の層を用いる場合には、膜状の層を形成しているその糊に、付箋紙１１同士を剥離可能に接合している接着剤１２（図７参照）と同一種類の接着剤を用いることが望ましい。このように、糊に、付箋紙１１同士を剥離可能に接合している接着剤１２（図７参照）と同一種類の接着剤を用いると、付箋の製造工程が簡素化され、しかも、他の種類の糊や紙片などの余分な材料を用いる必要がなくなって、製造コストや材料コストが容易に低減化されるという利点がある。
【００２１】
この実施形態の付箋は、個々の付箋紙束１０ごとに、端縁が連結材３０に剥離可能に接合された厚手の台紙２０が備わっているので、付箋紙の色に色分けされた個々の付箋紙束１０の境界を判別しやすく、しかも、図２のように個々の付箋紙束１０を台紙２０のところで開きやすい。そのため、図４に例示したように、使用者が特定の色（たとえばピンク色Ｐの付箋紙１１を使いたい場合に、その付箋紙１１の集まりである下位の付箋紙束１０からそれに隣接する他の付箋紙束１０を図４のように開いて目的の付箋紙１１を剥離し、それを書類などに貼り付けることができる。なお、図４には付箋紙１１の剥離跡を一点鎖線イで示してある。
【００２２】
この実施形態では、個々の付箋紙束１０に台紙２０を具備させてあるけれども、台紙２０を省略したものであってもよい。そのように台紙を省略した付箋は、図９に示した付箋紙束１０の端面を帯状の連結材に剥離可能に接合したものに相当する。
【図面の簡単な説明】
【００２３】
【図１】本考案の実施形態に係る付箋の概略側面図である。
【図２】付箋の付箋紙束を開いた状態を例示した説明図である。
【図３】要部を拡大して示した説明図である。
【図４】使用状態説明図である。
【図５】付箋の一般的な使用状態を例示した斜視図である。
【図６】付箋紙束を例示した概略斜視図である。
【図７】付箋紙束を分解して示した説明図である。
【図８】１セットとしての従来の複数冊の付箋紙束を示した概略斜視図である。
【図９】付箋紙ごとに色分けされた付箋紙束の概略側面図である。
【図１０】図９の付箋紙束の使用状態を例示した説明図である。
【符号の説明】
【００２４】
１０  付箋紙束
１１  付箋紙
１２  接着剤
２０  台紙
３０  連結材
５０  付箋紙束の面状の端面
【図１】
0003139191.tif 000003
【図２】
0003139191.tif 000004
【図３】
0003139191.tif 000005
【図４】
0003139191.tif 000006
【図５】
0003139191.tif 000007
【図６】
0003139191.tif 000008
【図７】
0003139191.tif 000009
【図８】
0003139191.tif 000010
【図９】
0003139191.tif 000011
【図１０】
0003139191.tif 000012